(57)【特許請求の範囲】
【請求項１】
プラスチックフイルムからなる包装袋であって、折り畳み状態において、袋体底部は内部にガゼット折りの折り込み部を断面Ｗ字型に設けて４重構造を形成してなり、左右側縁部は、底部の４重構造フイルムから側部の２重構造フイルムにかけて融着して固定し、該折り込み部の４重構造を形成する２対の２重フイルム部の総ての左右隅合計４箇所に側縁から底部にかけて傾斜する約４５度の角底傾斜融着線を設けることにより角底構造とし、袋体部の上部に袋体の上縁フイルムから延設してその中央部に指孔を明けた手提部を設けた包装袋であって、手提部と側縁部との間の、袋体を折り畳んだ状態で側縁の近くに、凹状の打ち欠き部を設けたことを特徴とする包装袋。
【請求項２】
プラスチックフイルムからなる包装袋であって、折り畳み状態において、袋体底部は内部にガゼット折りの折り込み部を断面Ｗ字型に設けて４重構造を形成してなり、左右側縁部は、底部の４重構造フイルムから側部の２重構造フイルムにかけて融着して固定し、該折り込み部の４重構造を形成する２対の２重フイルム部の総ての左右隅合計４箇所に側縁から底部にかけて傾斜する約４５度の角底傾斜融着線を設けることにより角底構造とし、袋体部の上部に袋体の上縁フイルムから内側にフイルムを折り返して２対の２重構造を形成し、各２重構造の左右隅を上縁から約４５度の角度で左右に広がる合計４個の手提傾斜融着線で融着し、手提傾斜融着線の間の２重構造の上縁折り目を切り離して２対の２重フイルムの内側フイルムを外側フイルムから分離して、該内側フイルムを手提部フイルムテープとして形成した包装袋であって、手提傾斜融着線と側縁部との間の、袋体を折り畳んだ状態で側縁の近くに、凹状の打ち欠き部を設けたことを特徴とする包装袋。
【請求項３】
角底傾斜融着線から２〜１０ｍｍ離れた外側の平行線上でフイルムを切除した請求項１又は請求項２記載の包装袋。
【請求項４】
手提傾斜融着線から２〜１０ｍｍ離れた外側の平行線上でフイルムを切除した請求項２記載の包装袋。
【発明の詳細な説明】
【０００１】
【発明の属する技術分野】
本発明は、角底プラスチックフイルム製包装袋に関する。
【０００２】
【従来の技術】
従来より、プラスチックフイルム製包装袋であって、側縁を融着して角底構造を有し、手提部がある手提袋は、広く製造されていた。
これらの袋では、図７で示すように角底構造によって幅の広い直方体形状の品物Ｘを収納しようとした場合に、底部の長方形にぴったりと一致する品物をプラスチックフイルム製包装袋に入れようとすると、薄い軟質フイルムのため袋の開口部のフイルムに直方体の４箇所の尖った角Ｋが引っ掛かり挿入するのが困難となる。すなわち、包装袋の袋体部を直方体形状にしながら、品物を正確に垂直に維持しながら、挿入するという面倒な操作になる。
例えば、弁当又は寿司などを昼食時の混雑する販売において、収納に手間取ることはこれら弁当等の売上に密接に影響する重要な問題となる。
また、収納する品物より十分に余裕のある大きい寸法にすると、少し角底を大きくするだけで、袋フイルムに大きな皺が生じて、品物を入れて吊り下げたときにぶかぶかの包装体となり体裁が著しく悪くなる。
【０００３】
【発明が解決しようとする課題】
本発明は、角底の寸法を収納する品物の寸法に合わせたときにおいても、品物を収納するのが容易な包装袋を提供することを目的とするものである。
【０００４】
【課題を解決するための手段】
本発明者は、前記の角底の寸法を収納物の寸法に合わせて品物を入れ易くするには、図７の開口部の周縁Ｌの長さを長くすることが必須であり、そのために、周縁に凹状の打ち欠きを設けると、角底の寸法はそのままで、開口周縁の長さが増加して品物を挿入し易くなることを見出した。すなわち、最初に開口部縁に直方体の品物が入ると後は、手提部をもって吊り下げると円滑に角底に直方体の角が収まる。
そして、その凹状打ち欠きの位置を、折り畳み状態で袋体側縁部から手提部にかけて凹状に打ち欠きを設けると左右側縁融着線の両側に２対の打ち欠きが形成されて、このような位置に打ち欠きを合計４個設けたときが、打ち欠き部分に重力がかからないので袋が打ち欠き部分から裂ける恐れがないことを見出した。
本発明は、この知見に基づき完成されたものである。
すなわち、本発明は、次の(１)項、(２)項、(３)項及び(４)項の発明よりなる。
（１）プラスチックフイルムからなる包装袋であって、折り畳み状態において、袋体底部は内部にガゼット折りの折り込み部を断面Ｗ字型に設けて４重構造を形成してなり、左右側縁部は、底部の４重構造フイルムから側部の２重構造フイルムにかけて融着して固定し、該折り込み部の４重構造を形成する２対の２重フイルム部の総ての左右隅合計４箇所に側縁から底部にかけて傾斜する約４５度の角底傾斜融着線を設けることにより角底構造とし、袋体部の上部に袋体の上縁フイルムから延設してその中央部に指孔を明けた手提部を設けた包装袋であって、手提部と側縁部との間の、袋体を折り畳んだ状態で側縁の近くに、凹状の打ち欠き部を設けたことを特徴とする包装袋。
（２）プラスチックフイルムからなる包装袋であって、折り畳み状態において、袋体底部は内部にガゼット折りの折り込み部を断面Ｗ字型に設けて４重構造を形成してなり、左右側縁部は、底部の４重構造フイルムから側部の２重構造フイルムにかけて融着して固定し、該折り込み部の４重構造を形成する２対の２重フイルム部の総ての左右隅合計４箇所に側縁から底部にかけて傾斜する約４５度の角底傾斜融着線を設けることにより角底構造とし、袋体部の上部に袋体の上縁フイルムから内側にフイルムを折り返して２対の２重構造を形成し、各２重構造の左右隅を上縁から約４５度の角度で左右に広がる合計４個の手提傾斜融着線で融着し、手提傾斜融着線の間の２重構造の上縁折り目を切り離して２対の２重フイルムの内側フイルムを外側フイルムから分離して、該内側フイルムを手提部フイルムテープとして形成した包装袋であって、手提傾斜融着線と側縁部との間の、袋体を折り畳んだ状態で側縁の近くに、凹状の打ち欠き部を設けたことを特徴とする包装袋。
（３）角底傾斜融着線から２〜１０ｍｍ離れた外側の平行線上でフイルムを切除した(１)項又は(２)項記載の包装袋。
（４）手提傾斜融着線から２〜１０ｍｍ離れた外側の平行線上でフイルムを切除した(２)項記載の包装袋。
本発明は、手提部の構造が１重フイルムか２重フイルムかによって、態様が上記(１)項及び(２)項の２種あるが、その凹状打ち欠き部によって、品物を挿入し易くする技術的思想は同一である。
本発明の凹部の打ち欠きは、袋体の大きさ形状に応じて適宜決定されるが、折り畳んだ状態で袋体側縁の上部のすぐ近くから袋体中央方向に、幅１０〜６０ｍｍで、かつ、開口縁の縁から下方に５〜４０ｍｍの深さで設ける態様が望ましい。
凹部の深さが小さいと開口縁の長さが伸びる距離が小さくなり本発明の効果がなくなり、大きすぎると開口縁の強度が弱くなる。また、凹部の幅が狭いと強度が低下し、長すぎると手差部の幅が狭くなる。
【０００５】
【発明の実施の形態】
本発明を図面によって説明する。
図１及び図２は、プラスチックフイルムを図２の断面図（簡明のために薄いプラスチックフイルムの厚さは１本の線で表現してある）のように底部３のＷ字型のガゼット折りして、底部のＷ字型４重構造を形成する一対の２重構造６、７の両隅を４個のヒートシールＮ、Ｎ'及びＲ、Ｒ'（Ｎ'及びＲ'は図１の裏面にあって見えない。これらはそれぞれＲ'及びＮと重なっている）によって、約４５度の傾斜で側縁の中折り目１１の高さＨから２重構造６、７の折り目１２、１３にかけて融着し公知の角底構造を形成して、側縁は熔断によって、側縁融着Ｌ、Ｍを形成して、角底袋体部分を設けている。そして、袋体部のフイルム１及び２からそれぞれ手提部フイルム４、５が上方に延設されていて、その手提部フイルム４及び５の中央部に吊り下げるための指孔１０が設けてある。
図１の折り畳み状態で、側縁融着Ｌ、Ｍの上端Ｐ、Ｓからそれぞれ下方に凹状にへこみ、次いで上方に上がる凹状曲線に沿って、２重のフイルムを同時に打ち欠いて、本発明の特徴である打ち欠き凹部８が左右側部の開口部縁上に設けてある。
この打ち欠き凹部８があるために、側縁融着Ｍを中心にフイルムを展開すると、図３のように、ＡＳ間及びＳＢ間に凹部分が２箇所に形成される。
その結果ＡＢ間の開口周縁の長さが長くなる分だけ品物を収納し易くなる。
また、この包装袋を吊り下げたときに、この凹部８に力がかかってもこの凹部分の先端が曲線的な凹状であるので緩衝作用を果し、フイルムが裂けるのを防止する。
このような凹部分の先端を側縁融着Ｍの真上に設けた場合は二つの手提部から力がかかるので、凹部分から裂けるおそれがある。
次に、図４及び図５の包装袋は、図１及び図２の手提部４、５がさらに延設されて先端１４、１５を内側に折り返されて２重構造となり、その左右隅に約４５度の傾斜の融着線Ｃ、Ｄでフイルム４と１４及び５と１５をヒートシールにより融着して、該ヒートシール融着線から５mm程度離れた平行線Ｔ上で直角三角形部分を切り離した。このように、傾斜融着線を熔断で行わないで、ヒートシールとその外側の平行線Ｔ上の切断することによって、熔断よりも強度が大きい手提にすることができる。
次に４、５の上縁折り目を融着線Ｃ及びＤの中央部Ｅで打ち欠いてフイルム４と１４及び５と１５を切り離して、手提テープとして、フイルム１４及びフイルム１５の内側から指を打ち欠きに差し入れて、フイルム１４及びフイルム１５を形成し、図６のようにフイルム１４を及び１５を持って吊り下げることができる。
この図４の包装袋も、本発明の特徴である凹状打ち欠き凹部８が側縁の上端Ｐ及びＳから融着線Ｃ及びＤにかけて設けてある。
この場合の凹状打ち欠き８の作用効果は図１と同様である。
本発明は、折り目１１の高さＨの２倍の寸法が角底の横幅となり、図１及び図２の横幅の長さＦから２×Ｈの長さを差し引いた（Ｆ−２Ｈ）が、角底の縦の長さとなる。本発明の袋により弁当等の直方体を収納する場合、正方形の角底では、（Ｆ−２Ｈ）＝２Ｈとなる。本発明の収納すべき直方体は、縦長の場合が多く、実際には、その結果、（Ｆ−２Ｈ）は２Ｈの１〜３倍程度となり、その場合は、ＦはＨの８倍になる。従って、本発明の寸法Ｆは、Ｈの４〜８倍好ましくは、５〜７倍となる。
本発明は、図４の平面図の袋から、袋体側縁を短くして、手提部を長くした態様の図８の平面図の袋にすることができる。
このように袋体側縁を低くする態様は、図１の袋にも同様に適用することができる。
また、図９の袋のように、図４の角底融着線の外側を節棚により切除したものも、商品の収納が容易になるので好ましい。すなわち、図４のように切除しない袋の場合よりも角底が広がり易く、結果として、ぴったりとした寸法でも商品を挿入し易くなる。この場合も、角底を通常の熔断工程にしないで、一旦融着してから、その角底融着線に平行線Ｔ上で切断しているので、角底の強度が飛躍的に増大する。このような角底の傾斜融着線の外側の平行線Ｔ上の切断は、図１の包装袋にも適用することができる。
【０００６】
【発明の効果】
本発明の側縁上部から手提部にかけての凹状曲線に沿った打ち欠き凹部８によって、袋体角底寸法とほぼ一致した商品を素早く収納でき、しかも、側縁融着線の両側に凹部が二つあるので、凹部によって、開口部周縁が裂け易くなることはない。
【図面の簡単な説明】
【図１】図１は、本発明の一態様の包装袋の折り畳み状態の平面図である。
【図２】図２は、図１の包装袋の断面図である。
【図３】図３は、図１の包装袋に品物を収納した場合の打ち欠き凹部の形状を示す斜視図である。
【図４】図４は、本発明の別の態様の平面図である。
【図５】図５は、図４の包装袋の断面図である。
【図６】図６は、図４の包装袋に品物を収納した場合の手提部の形状を示す斜視図である。
【図７】図７は、従来技術の袋に収納する場合の態様の斜視図である。
【図８】図８は、本発明の別の態様の包装袋の平面図である。
【図９】図９は、本発明の別の態様の包装袋の平面図である。
【符号の説明】
１  袋体フイルム
２  袋体フイルム
３  底部
４  手提部フイルム
５  手提部フイルム
６  ２重構造
７  ２重構造
８  打ち欠き凹部
１０  指孔
１１  中折り目
１２  底折り目
１３  底折り目
１４  手提フイルムテープ
１５  手提フイルムテープ
Ｌ  側縁融着
Ｍ  側縁融着
Ｐ  側縁上端
Ｓ  側縁上端
Ｎ  ヒートシール
Ｒ  ヒートシール
Ｃ  熔断シール
Ｄ  熔断シール
Ｅ  手提打ち欠き部
Ｈ  中折り目の高さ
Ｆ  折り畳み状態の袋体の幅
Ｔ  切断平行線
【図１】
0003868518.tif 000002
【図２】
0003868518.tif 000003
【図３】
0003868518.tif 000004
【図４】
0003868518.tif 000005
【図５】
0003868518.tif 000006
【図６】
0003868518.tif 000007
【図７】
0003868518.tif 000008
【図８】
0003868518.tif 000009
【図９】
0003868518.tif 000010